(57)【特許請求の範囲】
【請求項１】
正面視で、ビッグデータサーバ電源装置であって、電源箱を含み、
前記電源箱の中には上方に開口した貯水チャンバが設置され、前記貯水チャンバの中には雨水収集装置が設置され、前記雨水収集装置が展開されるとき太陽エネルギーを吸収でき、このとき前記雨水収集装置は前記貯水チャンバを完全に密封しなく、前記雨水収集装置が収納されるとき、前記貯水チャンバが雨水を収集でき、
前記貯水チャンバの下側内壁の中には抜き穴が左右対称に連通するように設置され、前記抜き穴の下側内壁の間にはガイドスライドチャンバが連通するように設置され、前記ガイドスライドチャンバの下側内壁の中には風通しチャンバが連通するように設置され、前記風通しチャンバの中には熱伝導装置が設置され、サーバの電源が前記熱伝導装置の中に取り付けられることができ、前記雨水収集装置が雨水を前記熱伝導装置の中に導入し電源に対し水で冷やすことができ、
前記風通しチャンバの左右両側内壁の中には風力エネルギー吸収装置が設置され、前記風力エネルギー吸収装置が風力エネルギーを吸収し前記熱伝導装置を冷却でき、
前記風通しチャンバの下側内壁の中には電気エネルギー変換装置が設置され、前記電気エネルギー変換装置と前記風力エネルギー吸収装置とが噛合するように連結され、前記電気エネルギー変換装置が前記雨水収集装置により吸収された太陽エネルギーと前記風力エネルギー吸収装置により吸収された風力エネルギーを電気エネルギーに変換して保存でき、緊急の電力供給のために使用でき、
前記熱伝導装置は前記風通しチャンバの中にスライドできるように設置される熱伝導ブロックを含み、前記熱伝導ブロックの中には取り付けチャンバが設置され、電源が前記取り付けチャンバの中に固定的に取り付けられ、
前記取り付けチャンバの周面内壁の中には上方に開口した水流れ通路が二つ設置され、前記水流れ通路が前記取り付けチャンバの周面内壁の中に螺旋状に周設され、前記熱伝導ブロックの上端には二つの継ぎ手が固定的に連結され、前記継ぎ手の中には流れ案内穴が上下に貫通するように設置され、両側の前記流れ案内穴がそれぞれ両側の前記水流れ通路に正対しており、前記継ぎ手が前記抜き穴に正対しており、
前記熱伝導ブロックの中には下方に開口した縦ねじ山穴が設置され、前記縦ねじ山穴の中には縦ねじボルトが連結され、前記風通しチャンバの下側内壁の中にはモーターが固定的に設置され、前記縦ねじボルトの下端が前記モーターに伝動できるように連結され、
前記雨水収集装置は前記貯水チャンバの前後内壁の中に前後対称に連通するように設置される収納チャンバを含み、前記収納チャンバが上方に開口しており、前記貯水チャンバの中にはソーラーパネルが前後対称にスライドできるように設置され、
前記ソーラーパネルの中には横ねじ山穴が設置され、前記横ねじ山穴は開口が対称中心から離れた方向に向いており、前記横ねじ山穴の中には横ねじボルトがねじ山により連結され、前記収納チャンバにおいて対称中心から離れた側の内壁の中には伝動チャンバが設置され、前記横ねじボルトにおいて対称中心から離れた一端が前記伝動チャンバの中に延びており、前記横ねじボルトにおいて対称中心から離れた一端には小プーリーが固定的に連結され、前記小プーリーの下側には大プーリーが回転できるように設置され、前記小プーリーと前記大プーリーとの間にはベルトが連結され、前記大プーリーの中には連結軸が固定的に連結され、前記伝動チャンバにおいて対称中心に近接している側の内壁の中には歯車チャンバが設置され、前記歯車チャンバにおいて対称中心に近接している側の内壁が前記風通しチャンバに連通しており、前記連結軸において対称中心に近接している一端が前記歯車チャンバの中に延びており、前記連結軸において対称中心に近接している一端には従動歯車が固定的に連結され、前記従動歯車の右端には主動歯車が噛合するように設置され、前記主動歯車の中には固定軸が固定的に連結され、前記主動歯車の右側には前記固定軸に固定的に連結される連結歯車が回転できるように設置され、
前記熱伝導ブロックの前後端面の中にはラックが固定的に設置され、両側の前記ラックがそれぞれ両側の前記連結歯車に噛合しており、前記熱伝導ブロックが上方にスライドすると前記雨水収集装置を駆動でき、
前記モーターを始動し、それにより前記縦ねじボルトを通して前記熱伝導ブロックを上昇連動させ、それにより前記継ぎ手を上昇連動させて前記抜き穴に挿入させ、このとき前記貯水チャンバと前記風通しチャンバを隔離し、前記貯水チャンバの中の雨水が前記風通しチャンバに入ることを避け、前記継ぎ手が前記抜き穴の中に挿入された後、前記ラックと前記連結歯車とが噛合し、前記ラックが上昇し前記連結歯車を回転連動させ、それにより前記固定軸を通して前記主動歯車を回転連動させ、それにより前記従動歯車を回転連動させ、それにより前記連結軸により前記大プーリーを回転連動させ、それにより前記ベルトにより前記小プーリーを回転連動させ、それにより前記横ねじボルトを通して前記ソーラーパネルを駆動し前記収納チャンバに滑り込ませて収納し、このとき前記貯水チャンバが雨水を収集でき、
前記風力エネルギー吸収装置は前記風通しチャンバの左右両側内壁の中に左右対称に設置される連結チャンバを含み、前記連結チャンバの中には大歯車が回転できるように設置され、前記大歯車の中には低速軸が固定的に連結され、前記低速軸において対称中心から離れている一端が前記電源箱の外部まで延びており、前記低速軸において対称中心から離れている一端には外ファンが固定的に連結され、前記大歯車の下端には小歯車が噛合するように設置され、前記小歯車の中には高速軸が固定的に連結され、前記高速軸において対称中心に近接している一端が前記風通しチャンバの中に延びており、前記高速軸において対称中心に近接している一端には内ファンが固定的に連結され、
前記小歯車の下端が前記電気エネルギー変換装置に噛合するように連結され、
前記電気エネルギー変換装置は前記小歯車の下端に噛合するように設置される外歯車を含み、前記外歯車の中には逆方向噛合チャンバが設置され、前記逆方向噛合チャンバは開口が対称中心から離れた方向に向いており、前記逆方向噛合チャンバの中には逆方向ラチェットホイールが噛合できるように連結され、前記外歯車が反転するとき、前記逆方向ラチェットホイールを回転連動させることができ、前記逆方向噛合チャンバにおいて対称中心に近接している側の内壁の中には正方向噛合チャンバが連通するように設置され、前記正方向噛合チャンバは開口が対称中心に向いており、前記正方向噛合チャンバの中には従動輪が回転できるように設置され、前記従動輪の上端には正方向ラチェットホイールが噛合するように設置され、前記正方向ラチェットホイールの上端が前記外歯車に噛合でき、前記外歯車が正方向に回転するとき前記正方向ラチェットホイールを回転連動させることができ、前記逆方向ラチェットホイールの中には長軸が固定的に連結され、前記従動輪において対称中心に近接している一端には短軸が固定的に連結され、
両側の前記連結チャンバにおいて対称中心に近接している側の内壁の中には発電チャンバが設置され、前記発電チャンバの中には導電ブロックが左右対称に回転できるように設置され、両側の前記長軸と前記短軸において対称中心に近接している一端がそれぞれ両側の前記導電ブロックに固定的に連結され、前記導電ブロックの周面にはコイルが固定的に連結され、前記発電チャンバの上下両側内壁の中には電極が対称に固定的に連結され、
前記発電チャンバの下側内壁の中には蓄電池が固定的に設置され、前記導電ブロックと前記蓄電池との間が導線により連結され、前記蓄電池が前記ソーラーパネルに通電できるように連結されていることを特徴とするビッグデータサーバ電源装置。
【発明の詳細な説明】
【技術分野】
【０００１】
本発明は省エネルギー環境保護分野を取り上げて、具体的にはビッグデータサーバ電源装置である。
【背景技術】
【０００２】
インターネット産業はますます急速に発展しており、電子データの処理および保存に対する要求はますます高まっており、ビッグデータサーバに対する要求も高まっている。サーバが常に作動状態にあり、サーバに電気エネルギーを提供する電源装置が熱くなりやすく、電源は温度が高いときサーバの作動に影響を与える。現在、水との熱交換によって電源を冷却するために、一般的には大型のサーバを湖底または川底に設置するが、大量の熱が湖底や川底に放出されるため、環境に損害を及ぼし、水の生態学的なバランスに影響を与える可能性がある。本発明のビッグデータサーバ電源装置は、上記の問題を解決でき、本発明は屋外に配置され、太陽エネルギーおよび風力エネルギーによって電源を冷却し、それによってより省エネで環境に優しく、また太陽エネルギーおよび風力エネルギーを電気エネルギーに変換して貯蔵し、緊急の電力供給のために使われ、また雨水を収集し電源を水で冷やすこともできる。
【先行技術文献】
【特許文献】
【０００３】
【特許文献１】中国特許出願公開第108808473号明細書
【発明の概要】
【発明が解決しようとする課題】
【０００４】
技術問題：大型のサーバを湖底または川底に設置することにより電源を冷却することは、水の生態学的なバランスに影響を与える。
【課題を解決するための手段】
【０００５】
上記問題を解決するために、ビッグデータサーバ電源装置が設計され、本発明の前記ビッグデータサーバ電源装置は、電源箱を含み、前記電源箱の中には上方に開口した貯水チャンバが設置され、前記貯水チャンバの中には雨水収集装置が設置され、前記雨水収集装置が展開されるとき太陽エネルギーを吸収でき、このとき前記雨水収集装置は前記貯水チャンバを完全に密封しなく、前記雨水収集装置が収納されるとき、前記貯水チャンバが雨水を収集でき、前記貯水チャンバの下側内壁の中には抜き穴が左右対称に連通するように設置され、前記抜き穴の下側内壁の間にはガイドスライドチャンバが連通するように設置され、前記ガイドスライドチャンバの下側内壁の中には風通しチャンバが連通するように設置され、前記風通しチャンバの中には熱伝導装置が設置され、サーバの電源が前記熱伝導装置の中に取り付けられることができ、前記雨水収集装置が雨水を前記熱伝導装置の中に導入し電源に対し水で冷やすことができ、前記風通しチャンバの左右両側内壁の中には風力エネルギー吸収装置が設置され、前記風力エネルギー吸収装置が風力エネルギーを吸収し前記熱伝導装置を冷却でき、前記風通しチャンバの下側内壁の中には電気エネルギー変換装置が設置され、前記電気エネルギー変換装置と前記風力エネルギー吸収装置とが噛合するように連結され、前記電気エネルギー変換装置が前記雨水収集装置により吸収された太陽エネルギーと前記風力エネルギー吸収装置により吸収された風力エネルギーを電気エネルギーに変換して保存でき、緊急の電力供給のために使用できる。
【０００６】
有益的には、前記熱伝導装置は前記風通しチャンバの中にスライドできるように設置される熱伝導ブロックを含み、前記熱伝導ブロックの中には取り付けチャンバが設置され、電源が前記取り付けチャンバの中に固定的に取り付けられ、前記取り付けチャンバの周面内壁の中には上方に開口した水流れ通路が二つ設置され、前記水流れ通路が前記取り付けチャンバの周面内壁の中に螺旋状に周設され、前記熱伝導ブロックの上端には二つの継ぎ手が固定的に連結され、前記継ぎ手の中には流れ案内穴が上下に貫通するように設置され、両側の前記流れ案内穴がそれぞれ両側の前記水流れ通路に正対しており、前記継ぎ手が前記抜き穴に正対しており、前記継ぎ手が前記抜き穴の中に滑り込んで前記貯水チャンバと前記風通しチャンバを隔離でき、このとき前記貯水チャンバの中にある雨水が前記流れ案内穴を通して前記水流れ通路の中に入ることができ、このとき電源に対し水で冷却する。
【０００７】
優選的には、前記熱伝導ブロックの中には下方に開口した縦ねじ山穴が設置され、前記縦ねじ山穴の中には縦ねじボルトが連結され、前記風通しチャンバの下側内壁の中にはモーターが固定的に設置され、前記縦ねじボルトの下端が前記モーターに伝動できるように連結され、前記モーターを始動し、それにより前記縦ねじボルトを駆動することにより前記熱伝導ブロックを上昇連動させる。
【０００８】
有益的には、前記雨水収集装置は前記貯水チャンバの前後内壁の中に前後対称に連通するように設置される収納チャンバを含み、前記収納チャンバが上方に開口しており、前記貯水チャンバの中にはソーラーパネルが前後対称にスライドできるように設置され、前記ソーラーパネルは太陽エネルギーを吸収し前記電気エネルギー変換装置に伝達することができ、前記ソーラーパネルが前記収納チャンバの中に滑り込んで前記貯水チャンバを開けることができ、このとき前記貯水チャンバが雨水を収集できる。
【０００９】
優選的には、前記ソーラーパネルの中には横ねじ山穴が設置され、前記横ねじ山穴は開口が対称中心から離れた方向に向いており、前記横ねじ山穴の中には横ねじボルトがねじ山により連結され、前記収納チャンバにおいて対称中心から離れた側の内壁の中には伝動チャンバが設置され、前記横ねじボルトにおいて対称中心から離れた一端が前記伝動チャンバの中に延びており、前記横ねじボルトにおいて対称中心から離れた一端には小プーリーが固定的に連結され、前記小プーリーの下側には大プーリーが回転できるように設置され、前記小プーリーと前記大プーリーとの間にはベルトが連結され、前記大プーリーの中には連結軸が固定的に連結され、前記伝動チャンバにおいて対称中心に近接している側の内壁の中には歯車チャンバが設置され、前記歯車チャンバにおいて対称中心に近接している側の内壁が前記風通しチャンバに連通しており、前記連結軸において対称中心に近接している一端が前記歯車チャンバの中に延びており、前記連結軸において対称中心に近接している一端には従動歯車が固定的に連結され、前記従動歯車の右端には主動歯車が噛合するように設置され、前記主動歯車の中には固定軸が固定的に連結され、前記主動歯車の右側には前記固定軸に固定的に連結される連結歯車が回転できるように設置され、前記熱伝導ブロックの前後端面の中にはラックが固定的に設置され、両側の前記ラックがそれぞれ両側の前記連結歯車に噛合しており、前記熱伝導ブロックが上方にスライドすると前記雨水収集装置を駆動できる。
【００１０】
有益的には、前記風力エネルギー吸収装置は前記風通しチャンバの左右両側内壁の中に左右対称に設置される連結チャンバを含み、前記連結チャンバの中には大歯車が回転できるように設置され、前記大歯車の中には低速軸が固定的に連結され、前記低速軸において対称中心から離れている一端が前記電源箱の外部まで延びており、前記低速軸において対称中心から離れている一端には外ファンが固定的に連結され、前記大歯車の下端には小歯車が噛合するように設置され、前記小歯車の中には高速軸が固定的に連結され、前記高速軸において対称中心に近接している一端が前記風通しチャンバの中に延びており、前記高速軸において対称中心に近接している一端には内ファンが固定的に連結され、風が前記外ファンを吹き、それにより前記大歯車と前記小歯車との間の加速伝動を通して、前記内ファンを加速回転連動させ、それにより前記熱伝導ブロックを冷却する。
【００１１】
優選的には、前記小歯車の下端が前記電気エネルギー変換装置に噛合するように連結され、風向が異なるため、前記外ファンの回転方向も異なり、前記小歯車の回転方向も異なる。
【００１２】
有益的には、前記電気エネルギー変換装置は前記小歯車の下端に噛合するように設置される外歯車を含み、前記外歯車の中には逆方向噛合チャンバが設置され、前記逆方向噛合チャンバは開口が対称中心から離れた方向に向いており、前記逆方向噛合チャンバの中には逆方向ラチェットホイールが噛合できるように連結され、前記外歯車が反転するとき、前記逆方向ラチェットホイールを回転連動させることができ、前記逆方向噛合チャンバにおいて対称中心に近接している側の内壁の中には正方向噛合チャンバが連通するように設置され、前記正方向噛合チャンバは開口が対称中心に向いており、前記正方向噛合チャンバの中には従動輪が回転できるように設置され、前記従動輪の上端には正方向ラチェットホイールが噛合するように設置され、前記正方向ラチェットホイールの上端が前記外歯車に噛合でき、前記外歯車が正方向に回転するとき前記正方向ラチェットホイールを回転連動させることができ、前記逆方向ラチェットホイールの中には長軸が固定的に連結され、前記従動輪において対称中心に近接している一端には短軸が固定的に連結され、両側の前記連結チャンバにおいて対称中心に近接している側の内壁の中には発電チャンバが設置され、前記発電チャンバの中には導電ブロックが左右対称に回転できるように設置され、両側の前記長軸と前記短軸において対称中心に近接している一端がそれぞれ両側の前記導電ブロックに固定的に連結され、前記導電ブロックの周面にはコイルが固定的に連結され、前記発電チャンバの上下両側内壁の中には電極が対称に固定的に連結され、両側の前記電極の間には磁束線が配置され、前記導電ブロックが回転し前記コイルに磁束線を切断させ電流を生成する。
【００１３】
優選的には、前記発電チャンバの下側内壁の中には蓄電池が固定的に設置され、前記導電ブロックと前記蓄電池との間が導線により連結され、前記蓄電池が前記ソーラーパネルに通電できるように連結されている。 
【発明の効果】
【００１４】
本発明の有益な効果は：本発明は屋外に配置され、太陽エネルギーおよび風力エネルギーによって電源を冷却し、それによってより省エネで環境に優しく、また太陽エネルギーおよび風力エネルギーを電気エネルギーに変換して貯蔵し、緊急の電力供給のために使われ、また雨水を収集し電源を水で冷やすこともできる。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明のビッグデータサーバ電源装置の全体構造概略図
【図２】図２は図１のＡの拡大概略図
【図３】図３は図１のＢ―Ｂ方向の構造概略図
【図４】図４は図１のＣ―Ｃ方向の構造概略図
【図５】図５は図３のＤの拡大概略図
【図６】図６は図３のＥの拡大概略図
【図７】図７は図５のＦ―Ｆ方向の構造概略図
【発明を実施するための形態】
【００１７】
本発明のビッグデータサーバ電源装置は、主に大型電源の冷却に適用され、以下に付図を合わせて本発明について詳しく説明する：
【００１８】
本発明の前記ビッグデータサーバ電源装置は、電源箱１１を含み、前記電源箱１１の中には上方に開口した貯水チャンバ１７が設置され、前記貯水チャンバ１７の中には雨水収集装置１０２が設置され、前記雨水収集装置１０２が展開されるとき太陽エネルギーを吸収でき、このとき前記雨水収集装置１０２は前記貯水チャンバ１７を完全に密封しなく、前記雨水収集装置１０２が収納されるとき、前記貯水チャンバ１７が雨水を収集でき、前記貯水チャンバ１７の下側内壁の中には抜き穴２０が左右対称に連通するように設置され、前記抜き穴２０の下側内壁の間にはガイドスライドチャンバ２１が連通するように設置され、前記ガイドスライドチャンバ２１の下側内壁の中には風通しチャンバ２４が連通するように設置され、前記風通しチャンバ２４の中には熱伝導装置１００が設置され、サーバの電源が前記熱伝導装置１００の中に取り付けられることができ、前記雨水収集装置１０２が雨水を前記熱伝導装置１００の中に導入し電源に対し水で冷やすことができ、前記風通しチャンバ２４の左右両側内壁の中には風力エネルギー吸収装置１０３が設置され、前記風力エネルギー吸収装置１０３が風力エネルギーを吸収し前記熱伝導装置１００を冷却でき、前記風通しチャンバ２４の下側内壁の中には電気エネルギー変換装置１０１が設置され、前記電気エネルギー変換装置１０１と前記風力エネルギー吸収装置１０３とが噛合するように連結され、前記電気エネルギー変換装置１０１が前記雨水収集装置１０２により吸収された太陽エネルギーと前記風力エネルギー吸収装置１０３により吸収された風力エネルギーを電気エネルギーに変換して保存でき、緊急の電力供給のために使用できる。
【００１９】
実施例により、下記に前記熱伝導装置１００について詳しく説明し、前記熱伝導装置１００は前記風通しチャンバ２４の中にスライドできるように設置される熱伝導ブロック２３を含み、前記熱伝導ブロック２３の中には取り付けチャンバ４５が設置され、電源が前記取り付けチャンバ４５の中に固定的に取り付けられ、前記取り付けチャンバ４５の周面内壁の中には上方に開口した水流れ通路２２が二つ設置され、前記水流れ通路２２が前記取り付けチャンバ４５の周面内壁の中に螺旋状に周設され、前記熱伝導ブロック２３の上端には二つの継ぎ手１５が固定的に連結され、前記継ぎ手１５の中には流れ案内穴１６が上下に貫通するように設置され、両側の前記流れ案内穴１６がそれぞれ両側の前記水流れ通路２２に正対しており、前記継ぎ手１５が前記抜き穴２０に正対しており、前記継ぎ手１５が前記抜き穴２０の中に滑り込んで前記貯水チャンバ１７と前記風通しチャンバ２４を隔離でき、このとき前記貯水チャンバ１７の中にある雨水が前記流れ案内穴１６を通して前記水流れ通路２２の中に入ることができ、このとき電源に対し水で冷却する。
【００２０】
有益的には、前記熱伝導ブロック２３の中には下方に開口した縦ねじ山穴３２が設置され、前記縦ねじ山穴３２の中には縦ねじボルト３１が連結され、前記風通しチャンバ２４の下側内壁の中にはモーター３０が固定的に設置され、前記縦ねじボルト３１の下端が前記モーター３０に伝動できるように連結され、前記モーター３０を始動し、それにより前記縦ねじボルト３１を駆動することにより前記熱伝導ブロック２３を上昇連動させる。
【００２１】
実施例により、下記に前記雨水収集装置１０２について詳しく説明し、前記雨水収集装置１０２は前記貯水チャンバ１７の前後内壁の中に前後対称に連通するように設置される収納チャンバ５６を含み、前記収納チャンバ５６が上方に開口しており、前記貯水チャンバ１７の中にはソーラーパネル１９が前後対称にスライドできるように設置され、前記ソーラーパネル１９は太陽エネルギーを吸収し前記電気エネルギー変換装置１０１に伝達することができ、前記ソーラーパネル１９が前記収納チャンバ５６の中に滑り込んで前記貯水チャンバ１７を開けることができ、このとき前記貯水チャンバ１７が雨水を収集できる。
【００２２】
有益的には、前記ソーラーパネル１９の中には横ねじ山穴１８が設置され、前記横ねじ山穴１８は開口が対称中心から離れた方向に向いており、前記横ねじ山穴１８の中には横ねじボルト５７がねじ山により連結され、前記収納チャンバ５６において対称中心から離れた側の内壁の中には伝動チャンバ４８が設置され、前記横ねじボルト５７において対称中心から離れた一端が前記伝動チャンバ４８の中に延びており、前記横ねじボルト５７において対称中心から離れた一端には小プーリー５５が固定的に連結され、前記小プーリー５５の下側には大プーリー４６が回転できるように設置され、前記小プーリー５５と前記大プーリー４６との間にはベルト４９が連結され、前記大プーリー４６の中には連結軸４７が固定的に連結され、前記伝動チャンバ４８において対称中心に近接している側の内壁の中には歯車チャンバ５１が設置され、前記歯車チャンバ５１において対称中心に近接している側の内壁が前記風通しチャンバ２４に連通しており、前記連結軸４７において対称中心に近接している一端が前記歯車チャンバ５１の中に延びており、前記連結軸４７において対称中心に近接している一端には従動歯車５０が固定的に連結され、前記従動歯車５０の右端には主動歯車５８が噛合するように設置され、前記主動歯車５８の中には固定軸５３が固定的に連結され、前記主動歯車５８の右側には前記固定軸５３に固定的に連結される連結歯車５２が回転できるように設置され、前記熱伝導ブロック２３の前後端面の中にはラック５４が固定的に設置され、両側の前記ラック５４がそれぞれ両側の前記連結歯車５２に噛合しており、前記熱伝導ブロック２３が上方にスライドすると前記雨水収集装置１０２を駆動できる。
【００２３】
実施例により、下記に前記風力エネルギー吸収装置１０３について詳しく説明し、前記風力エネルギー吸収装置１０３は前記風通しチャンバ２４の左右両側内壁の中に左右対称に設置される連結チャンバ３４を含み、前記連結チャンバ３４の中には大歯車１４が回転できるように設置され、前記大歯車１４の中には低速軸１３が固定的に連結され、前記低速軸１３において対称中心から離れている一端が前記電源箱１１の外部まで延びており、前記低速軸１３において対称中心から離れている一端には外ファン１２が固定的に連結され、前記大歯車１４の下端には小歯車３６が噛合するように設置され、前記小歯車３６の中には高速軸３５が固定的に連結され、前記高速軸３５において対称中心に近接している一端が前記風通しチャンバ２４の中に延びており、前記高速軸３５において対称中心に近接している一端には内ファン３３が固定的に連結され、風が前記外ファン１２を吹き、それにより前記大歯車１４と前記小歯車３６との間の加速伝動を通して、前記内ファン３３を加速回転連動させ、それにより前記熱伝導ブロック２３を冷却する。
【００２４】
有益的には、前記小歯車３６の下端が前記電気エネルギー変換装置１０１に噛合するように連結され、風向が異なるため、前記外ファン１２の回転方向も異なり、前記小歯車３６の回転方向も異なる。
【００２５】
実施例により、下記に前記電気エネルギー変換装置１０１について詳しく説明し、前記電気エネルギー変換装置１０１は前記小歯車３６の下端に噛合するように設置される外歯車４２を含み、前記外歯車４２の中には逆方向噛合チャンバ４０が設置され、前記逆方向噛合チャンバ４０は開口が対称中心から離れた方向に向いており、前記逆方向噛合チャンバ４０の中には逆方向ラチェットホイール３９が噛合できるように連結され、前記外歯車４２が反転するとき、前記逆方向ラチェットホイール３９を回転連動させることができ、前記逆方向噛合チャンバ４０において対称中心に近接している側の内壁の中には正方向噛合チャンバ４１が連通するように設置され、前記正方向噛合チャンバ４１は開口が対称中心に向いており、前記正方向噛合チャンバ４１の中には従動輪３８が回転できるように設置され、前記従動輪３８の上端には正方向ラチェットホイール３７が噛合するように設置され、前記正方向ラチェットホイール３７の上端が前記外歯車４２に噛合でき、前記外歯車４２が正方向に回転するとき前記正方向ラチェットホイール３７を回転連動させることができ、前記逆方向ラチェットホイール３９の中には長軸４４が固定的に連結され、前記従動輪３８において対称中心に近接している一端には短軸４３が固定的に連結され、両側の前記連結チャンバ３４において対称中心に近接している側の内壁の中には発電チャンバ２７が設置され、前記発電チャンバ２７の中には導電ブロック２８が左右対称に回転できるように設置され、両側の前記長軸４４と前記短軸４３において対称中心に近接している一端がそれぞれ両側の前記導電ブロック２８に固定的に連結され、前記導電ブロック２８の周面にはコイル２９が固定的に連結され、前記発電チャンバ２７の上下両側内壁の中には電極２６が対称に固定的に連結され、両側の前記電極２６の間には磁束線が配置され、前記導電ブロック２８が回転し前記コイル２９に磁束線を切断させ電流を生成する。
【００２６】
有益的には、前記発電チャンバ２７の下側内壁の中には蓄電池２５が固定的に設置され、前記導電ブロック２８と前記蓄電池２５との間が導線により連結され、前記蓄電池２５が前記ソーラーパネル１９に通電できるように連結されている。
【００２７】
下記に図１〜図７に合わせて本発明のビッグデータサーバ電源装置の使用ステップを詳しく説明する：
【００２８】
初期状態では、ソーラーパネル１９が貯水チャンバ１７の中に位置しており、このとき継ぎ手１５がガイドスライドチャンバ２１の中に位置しており、このとき熱伝導ブロック２３が下限界位置にある。
【００２９】
電源が取り付けチャンバ４５の中に固定的に取り付けられ、電源が熱伝導ブロック２３により熱を伝導でき、風が外ファン１２を吹き、それにより低速軸１３を通して大歯車１４を回転連動させ、それにより小歯車３６を高速回転連動させ、それにより高速軸３５を通して内ファン３３を高速回転連動させ、それにより熱伝導ブロック２３を冷却し、それにより間接的に電源を冷却し、小歯車３６が外歯車４２を回転連動させることができ、外ファン１２が正方向に回転するとき、小歯車３６が逆方向に回転し、それにより外歯車４２を正方向に回転連動させ、このとき外歯車４２が逆方向ラチェットホイール３９を回転連動させなく、このとき外歯車４２が正方向ラチェットホイール３７を正方向に回転連動させることができ、それにより従動輪３８を逆方向に回転連動させ、それにより短軸４３を通して導電ブロック２８を逆方向に回転連動させ、このときコイル２９を回転連動させて磁束線を切断させることができ、このときコイル２９が電流を生成して導電ブロック２８を通して蓄電池２５を充電し、同時に導電ブロック２８が反転し長軸４４を通して逆方向ラチェットホイール３９を反転連動させ、このとき外歯車４２が正方向に回転し、逆方向ラチェットホイール３９と外歯車４２とが噛合しなく、外ファン１２が反転するとき外歯車４２が正方向に回転し、このとき外歯車４２が逆方向ラチェットホイール３９を反転連動させ、それにより長軸４４を通して導電ブロック２８を反転連動させて蓄電池２５を充電し、同時に導電ブロック２８が短軸４３を通して従動輪３８を反転連動させ、それにより正方向ラチェットホイール３７を正方向に回転連動させ、このとき外歯車４２が反転し、外歯車４２と正方向ラチェットホイール３７とが噛合しなく、導電ブロック２８が反転しかできなく、蓄電池２５を充電し、導電ブロック２８が正方向に回転すると、蓄電池２５が放電する。
【００３０】
装置が太陽の下にあるとき、ソーラーパネル１９が太陽エネルギーを吸収し、それを電気エネルギーに変換して蓄電池２５に貯蔵し、雨の日に、モーター３０を始動し、それにより縦ねじボルト３１を通して熱伝導ブロック２３を上昇連動させ、それにより継ぎ手１５を上昇連動させて抜き穴２０に挿入させ、このとき貯水チャンバ１７と風通しチャンバ２４を隔離し、貯水チャンバ１７の中の雨水が風通しチャンバ２４に入ることを避け、継ぎ手１５が抜き穴２０の中に挿入された後、ラック５４と連結歯車５２とが噛合し、ラック５４が上昇し連結歯車５２を回転連動させ、それにより固定軸５３を通して主動歯車５８を回転連動させ、それにより従動歯車５０を回転連動させ、それにより連結軸４７により大プーリー４６を回転連動させ、それによりベルト４９により小プーリー５５を回転連動させ、それにより横ねじボルト５７を通してソーラーパネル１９を駆動し収納チャンバ５６に滑り込ませて収納し、このとき貯水チャンバ１７が雨水を収集でき、雨水が流れ案内穴１６を通して水流れ通路２２の中に入り、電源の熱が熱伝導ブロック２３を通して雨水に伝導され、雨水の蒸発を通して電源を冷却する。
【００３１】
以上の方式により、本分野の当業者は本発明の範囲内に作動モードにより各種な変化を加えることができる。
【要約】
【課題】本発明はビッグデータサーバ電源装置を開示した。
【解決手段】
電源箱を含み、前記電源箱の中には上方に開口した貯水チャンバが設置され、前記貯水チャンバの中には雨水収集装置が設置され、前記雨水収集装置が展開されるとき太陽エネルギーを吸収でき、このとき前記雨水収集装置は前記貯水チャンバを完全に密封しなく、前記雨水収集装置が収納されるとき、前記貯水チャンバが雨水を収集でき、前記貯水チャンバの下側内壁の中には抜き穴が左右対称に連通するように設置され、前記抜き穴の下側内壁の間にはガイドスライドチャンバが連通するように設置される。
【選択図】図１【図１】
0006718072.tif 000002
【図２】
0006718072.tif 000003
【図３】
0006718072.tif 000004
【図４】
0006718072.tif 000005
【図５】
0006718072.tif 000006
【図６】
0006718072.tif 000007
【図７】
0006718072.tif 000008